(57)【要約】【課題】  補強リブを有する構造ではなくても中空品に被覆をすることができる中空芯材の減圧被覆方法及び装置を提供しようとするもの。【解決手段】  中空芯材１を配設したチャンバーボックス２内を減圧状態とし、前記中空芯材１に被覆する表皮材３を加熱軟化させ、前記チャンバーボックス２内を加圧して加熱軟化させた前記表皮材３を中空芯材１に押圧して被覆する中空芯材の減圧被覆方法であって、前記チャンバーボックス２内を減圧状態とする際には中空芯材１の内部も減圧状態とし、前記チャンバーボックス２内を加圧する際には中空芯材１の内部も加圧する連通孔４が前記中空芯材１に設けられている。【選択図】  図１
2006007422.tif 000002
【特許請求の範囲】
【請求項１】
中空芯材１を配設したチャンバーボックス２内を減圧状態とし、前記中空芯材１に被覆する表皮材３を加熱軟化させ、前記チャンバーボックス２内を加圧して加熱軟化させた前記表皮材３を中空芯材１に押圧して被覆する中空芯材の減圧被覆方法であって、前記チャンバーボックス２内を減圧状態とする際には中空芯材１の内部も減圧状態とし、前記チャンバーボックス２内を加圧する際には中空芯材１の内部も加圧する連通孔４が前記中空芯材１に設けられていることを特徴とする中空芯材の減圧被覆方法。
【請求項２】
前記中空芯材１の連通孔４は表皮材３を押圧する側のチャンバーボックス２内と連通された請求項１記載の中空芯材の減圧被覆方法。
【請求項３】
中空芯材１を配設して減圧状態とすることができると共に加圧することができるチャンバーボックス２と、前記中空芯材１に被覆する表皮材３を加熱軟化させる加熱機構とを具備し、中空芯材１を配設したチャンバーボックス２内を減圧状態とし、前記中空芯材１に被覆する表皮材３を加熱軟化させ、前記チャンバーボックス２内を加圧して加熱軟化させた前記表皮材３を中空芯材１に押圧して被覆する中空芯材１の減圧被覆装置であって、前記チャンバーボックス２内を減圧状態とする際には中空芯材１の内部も減圧状態とし、前記チャンバーボックス２内を加圧する際には中空芯材１の内部も加圧する連通孔４が前記中空芯材１に設けられており、前記中空芯材１の連通孔４は表皮材３を押圧する側のチャンバーボックス２内と連通されたことを特徴とする中空芯材の減圧被覆装置。
【請求項４】
請求項３記載の中空芯材の減圧被覆装置により被覆された中空芯材。
【発明の詳細な説明】
【技術分野】
【０００１】
この発明は、中空芯材の減圧被覆方法及び装置に関するものである。
【背景技術】
【０００２】
従来より、合成樹脂製その他の芯材にプラスチックシート等の表皮材を被覆（オーバーレイ）する減圧被覆装置（例えば、特許文献１参照）があった。この芯材の減圧被覆装置は、次のようにして使用する。
【０００３】
すなわち、図９に示すように、下チャンバーボックス51内のテーブル52に芯材53をセットし、前記芯材53に被覆する表皮材54を下チャンバーボックス51上面にセットする。図１０に示すように、上チャンバーボックス55を降下させ、上下チャンバーボックス内をそれぞれ気密状態とする。
【０００４】
図１０に示すように上下チャンバーボックス内をそれぞれ真空タンク56から真空吸引して真空状態（ごく低圧の状態）とし、図１１に示すようにヒーターＨを点灯して表皮材54の加熱を行う。そして図１２に示すように、下チャンバーボックス51内のテーブル52をセットされた芯材53と共に上昇させ、表皮材54に芯材53を接触させる。
【０００５】
その後図１３に示すように、上チャンバーボックス55側の真空を開放して大気圧状態（下チャンバーボックス51内は依然真空状態である）とすることにより、加圧して表皮材54を芯材53に押圧させその形状に沿って被覆せしめる。またこの時図１４に示すように、上チャンバーボックス55内に圧空タンク57から圧縮空気を入れることにより、表皮材54をさらに大きな力で芯材53に密着させることもできる。最後に図１５に示すように、下チャンバーボックス51内も大気圧状態に戻し、上チャンバーボックス55を上昇させ被覆された芯材53を取り出す。
【０００６】
しかし、前記芯材53を中空品とした場合、図１０に示すように上下チャンバーボックス内を真空状態とした際に中空芯材53内部の空気が膨張して破裂してしまうことがあった。このため、中空芯材53の内部もチャンバーボックス内と一緒に減圧するための連通孔を穿設しておくことが考えられる。ところが、こうすると図１３や図１４に示すように上チャンバーボックス55側を加圧して表皮材54を芯材53に押圧する際に、内部が真空となっている中空芯材53が押し潰されてしまうことがあった。よって、中空芯材53は内部に補強リブを有する耐圧性を強化した構造が必要となり、その成型のための金型代などが高価になってしまうという問題があった。
【特許文献１】特開２００２―６７１３７号公報
【発明の開示】
【発明が解決しようとする課題】
【０００７】
そこでこの発明は、補強リブを有する構造ではなくても中空品に被覆をすることができる中空芯材の減圧被覆方法及び装置を提供しようとするものである。
【課題を解決するための手段】
【０００８】
前記課題を解決するためこの発明では次のような技術的手段を講じている。
(１)この発明の中空芯材の減圧被覆方法は、中空芯材を配設したチャンバーボックス内を減圧状態とし、前記中空芯材に被覆する表皮材を加熱軟化させ、前記チャンバーボックス内を加圧して加熱軟化させた前記表皮材を中空芯材に押圧して被覆する中空芯材の減圧被覆方法であって、前記チャンバーボックス内を減圧状態とする際には中空芯材の内部も減圧状態とし、前記チャンバーボックス内を加圧する際には中空芯材の内部も加圧する連通孔が前記中空芯材に設けられていることを特徴とする。
【０００９】
この中空芯材の減圧被覆方法では、チャンバーボックス内を減圧状態とする際には中空芯材に設けられた連通孔によりその内部も減圧状態とするようにしたので、中空芯材が膨張して破裂してしまうことはない。また、前記連通孔によりチャンバーボックス内を加圧する際には中空芯材の内部も加圧されるようにしたので、内部が減圧されていた中空芯材はチャンバーボックス内の加圧と共に内部も加圧されることとなり押し潰されてしまうことはない。
【００１０】
(２) 前記中空芯材の連通孔は表皮材を押圧する側のチャンバーボックス内と連通されたこととしてもよい。
このように構成すると、チャンバーボックス内を減圧状態や加圧状態とする際に中空芯材の内部も連動・同期して同様に減圧状態や加圧状態とすることができる。
【００１１】
(３) この発明の中空芯材の減圧被覆装置は、中空芯材を配設して減圧状態とすることができると共に加圧することができるチャンバーボックスと、前記中空芯材に被覆する表皮材を加熱軟化させる加熱機構とを具備し、中空芯材を配設したチャンバーボックス内を減圧状態とし、前記中空芯材に被覆する表皮材を加熱軟化させ、前記チャンバーボックス内を加圧して加熱軟化させた前記表皮材を中空芯材に押圧して被覆する中空芯材の減圧被覆装置であって、前記チャンバーボックス内を減圧状態とする際には中空芯材の内部も減圧状態とし、前記チャンバーボックス内を加圧する際には中空芯材の内部も加圧する連通孔が前記中空芯材に設けられており、前記中空芯材の連通孔は表皮材を押圧する側のチャンバーボックス内と連通されたことを特徴とする。
【００１２】
この中空芯材の減圧被覆装置では、チャンバーボックス内を減圧状態とする際には中空芯材に設けられた連通孔によりその内部も減圧状態とするようにしたので、中空芯材が膨張して破裂してしまうことはない。また、前記連通孔によりチャンバーボックス内を加圧する際には中空芯材の内部も加圧されるようにしたので、内部が減圧されていた中空芯材はチャンバーボックス内の加圧と共に内部も加圧されることとなり押し潰されてしまうことはない。また、チャンバーボックス内を減圧状態や加圧状態とする際に中空芯材の内部も連動して同様に減圧状態や加圧状態とすることができる。
【００１３】
(４) 前記中空芯材の減圧被覆装置により被覆された中空芯材は、補強リブを有する構造ではなくてもよいものである。
【発明の効果】
【００１４】
この発明は上述のような構成であり、次の効果を有する。
【００１５】
中空芯材が膨張して破裂してしまうことや押し潰されてしまうことは生じず、補強リブを有する構造ではなくても中空品に被覆をすることができる中空芯材の減圧被覆方法及び装置を提供することができる。
【発明を実施するための最良の形態】
【００１６】
以下、この発明の実施の形態を図面を参照して説明する。
【００１７】
図１乃至図８に示すように、この実施形態の中空芯材の減圧被覆装置は、合成樹脂製の中空芯材１を配設して減圧状態とすることができると共に加圧することができるチャンバーボックス２と、前記中空芯材１に被覆する表皮材３（加飾されたプラスチックシート）を加熱軟化させる加熱機構（ヒーターＨ）とを具備する。
【００１８】
そして、中空芯材１を配設したチャンバーボックス２内を減圧状態とし、前記中空芯材１に被覆する表皮材３を加熱軟化させ、前記チャンバーボックス２内を加圧して加熱軟化させた前記表皮材３を中空芯材１に押圧して被覆するようにしている。
【００１９】
ここで、前記チャンバーボックス２内を減圧状態とする際には中空芯材１の内部も減圧状態とし、前記チャンバーボックス２内を加圧する際には中空芯材１の内部も加圧する連通孔４（特に図８参照）が前記中空芯材１に設けられている。前記中空芯材１の連通孔４は、表皮材３を押圧する側の上チャンバーボックス2a内と連通されたものとしている。
【００２０】
また図８に示すように、前記連通孔４は、ソケット５内のニードル６を介してＯリング７とシール８により気密状態を担保しつつ減圧・加圧できるようにしている。そして、ニードル６により中空芯材１（コアー）内空間と上チャンバーボックス2a内の圧力が同じになるようにすることにより、中空芯材１の膨れや圧縮を防止するようにしている。なお前記ソケット５内は別回路で吸引することにより、ソケット５内を減圧して中空芯材１の外壁と密着させて空気洩れを防止している。
【００２１】
この中空芯材１の減圧被覆方法は、次の通りである。
【００２２】
図１に示すように、下チャンバーボックス2ｂ内のテーブル９に中空芯材１をセットし、前記中空芯材１に被覆する表皮材３を下チャンバーボックス2ｂ上面にセットする。図２に示すように、上チャンバーボックス2aを降下させ、上下チャンバーボックス２内をそれぞれ気密状態とする。
【００２３】
図３に示すように、上下チャンバーボックス2ｂ内をそれぞれ真空タンク10から真空吸引して減圧状態（真空状態などのごく低圧の状態）とする。ここで、チャンバーボックス２内を減圧状態とする際には、連通孔４を介して中空芯材１の内部も同時に減圧状態とするようにしている。
【００２４】
図４に示すようにヒーターＨを点灯して表皮材３の加熱を行う。そして同図に示すように、下チャンバーボックス2ｂ内のテーブルをセットされた中空芯材１と共に上昇させ、表皮材３に中空芯材１を接触させる。
【００２５】
その後図５に示すように、上チャンバーボックス2a側の真空を開放して大気圧状態（下チャンバーボックス2ｂ内は依然減圧状態である）とすることにより加圧して、表皮材３を中空芯材１に押圧させその形状に沿って被覆せしめる。ここで、チャンバーボックス２内を加圧する際には、連通孔４を介して中空芯材１の内部も同時に加圧されるようにしている。なお、この時図６に示すように、上チャンバーボックス2a内に圧空タンク11から圧縮空気を入れることにより、表皮材３をさらに大きな力で中空芯材１に密着させることもできる。
【００２６】
最後に図７に示すように、下チャンバーボックス2ｂ内も大気圧状態に戻し、上チャンバーボックス2aを上昇させ被覆された中空芯材１を取り出す。
【００２７】
次に、この実施形態の中空芯材１の減圧被覆装置の使用状態を説明する。
【００２８】
この中空芯材１の減圧被覆装置では、チャンバーボックス２内を減圧状態とする際には中空芯材１に設けられた連通孔４によりその内部も減圧状態とするようにしたので、中空芯材１が膨張して破裂してしまうことはない。また、前記連通孔４によりチャンバーボックス２内を加圧する際には中空芯材１の内部も加圧されるようにしたので、内部が減圧されていた中空芯材１はチャンバーボックス２内の加圧と共に内部も加圧されることとなり押し潰されてしまうことはない。すなわち、中空芯材１が膨張して破裂してしまうことや押し潰されてしまうことは生じず、補強リブを有する構造ではなくても中空品に被覆をすることができるという利点がある。
【００２９】
また、中空芯材１の連通孔４は表皮材３を押圧する側のチャンバーボックス２内と連通されたこととしており、チャンバーボックス２内を減圧状態や加圧状態とする際に中空芯材１の内部も連動して同様に減圧状態や加圧状態とすることができるという利点がある。
【００３０】
さらに、前記中空芯材１の減圧被覆装置により被覆された中空芯材１は、補強リブを有する構造ではなくてもよいものである。したがって、中空芯材１を成形する金型も補強リブを付与するような複雑な構造とする必要がない。
【産業上の利用可能性】
【００３１】
中空芯材が膨張して破裂してしまうことや押し潰されてしまうことは生じず補強リブを有する構造ではなくても中空品に被覆をすることができ、中空品を被覆する種々の用途に適用することができる。
【図面の簡単な説明】
【００３２】
【図１】この発明の中空芯材の減圧被覆装置の実施形態で、チャンバーボックスに中空芯材と表皮材とをセットする工程を説明する断面図。
【図２】図１の上下チャンバーボックス内を気密状態としてそれぞれ真空吸引する工程を説明する断面図。
【図３】図１の上下チャンバーボックス内で表皮材の加熱を行う工程を説明する断面図。
【図４】図１の上下チャンバーボックス内で表皮材に中空芯材を接触させる工程を説明する断面図。
【図５】図１の上チャンバーボックス内の真空を開放し表皮材を中空芯材に被覆せしめる工程を説明する断面図。
【図６】図１の上チャンバーボックス内に圧力空気を入れて表皮材を中空芯材に密着させる工程を説明する断面図。
【図７】図１のチャンバーボックスから表皮材が被覆された中空芯材を取り出す工程を説明する断面図。
【図８】図１の中空芯材の減圧被覆装置の要部拡大断面図。
【図９】従来、チャンバーボックスに芯材と表皮材とをセットする工程を説明する断面図。
【図１０】図９の上下チャンバーボックス内を気密状態としてそれぞれ真空吸引する工程を説明する断面図。
【図１１】図９の上下チャンバーボックス内で表皮材の加熱を行う工程を説明する断面図。
【図１２】図９の上下チャンバーボックス内で表皮材に芯材を接触させる工程を説明する断面図。
【図１３】図９の上チャンバーボックス内の真空を開放し表皮材を芯材に被覆せしめる工程を説明する断面図。
【図１４】図９の上チャンバーボックス内に圧力空気を入れて表皮材を芯材に密着させる工程を説明する断面図。
【図１５】図９のチャンバーボックスから表皮材が被覆された芯材を取り出す工程を説明する断面図。
【符号の説明】
【００３３】
１  中空芯材
２  チャンバーボックス
３  表皮材
４  連通孔
【図１】
2006007422.tif 000003
【図２】
2006007422.tif 000004
【図３】
2006007422.tif 000005
【図４】
2006007422.tif 000006
【図５】
2006007422.tif 000007
【図６】
2006007422.tif 000008
【図７】
2006007422.tif 000009
【図８】
2006007422.tif 000010
【図９】
2006007422.tif 000011
【図１０】
2006007422.tif 000012
【図１１】
2006007422.tif 000013
【図１２】
2006007422.tif 000014
【図１３】
2006007422.tif 000015
【図１４】
2006007422.tif 000016
【図１５】
2006007422.tif 000017